(57)【要約】【課題】機器本体の前面に、操作パネルを備えた操作部を、開閉可能に装備した加熱調理器において、操作部を突出付勢するバネを簡単かつ正しく組み付けることができるようにする。【解決手段】操作部を、操作パネルを有する可動ケース１５と、この可動ケース１５に装着される蓋体１６とで構成し、機器本体側に、バネ２７の一端部２７ａを支持する固定側バネ受け部２９と、バネ２７の他端部２７ｂを仮係止するバネ仮係止部３２とを設け、蓋体１６に、バネ２７の他端部２７ｂを支持する可動側バネ受け部３１と、バネ仮係止部３２に仮係止されたバネ２７の他端部２７ｂの仮係止を解除する先端平坦部３０ａとを設けている。【選択図】図５
2015132456.tif 000002
【特許請求の範囲】
【請求項１】
機器本体の前面に、操作パネルを備えた操作部を、前記操作パネルが操作可能に露出する開放位置と操作パネルが機器本体に収納される閉止位置とに亘って開閉可能に設けると共に、前記操作部を開放位置側へ付勢するバネを、その一端部が機器本体側の固定側バネ受け部に支持され、その他端部が操作部側の可動側バネ受け部に支持されるように設ける加熱調理器であって、
前記操作部は、上部に前記操作パネルを有すると共に、前面に開口部を有する可動ケースと、該可動ケースの前記開口部を塞ぐように装着される蓋体とを備え、
機器本体側に、前記固定側バネ受け部と、前記バネの前記他端部を仮係止するバネ仮係止部とを設け、
前記蓋体に、前記可動側バネ受け部と、前記バネの他端部の前記バネ仮係止部による仮係止を解除して、前記他端部を前記可動側バネ受け部へ移動させる解除部とを設ける、
ことを特徴とする加熱調理器。
【請求項２】
前記蓋体に、前記可動側バネ受け部と前記解除部とを有する突片が設けられ、
前記解除部は、前記バネ仮係止部に仮係止された前記バネの他端部に当接して仮係止を解除する、
請求項１に記載の加熱調理器。
【請求項３】
前記バネの前記他端部を受止め支持する前記可動側バネ受け部が、前記操作部の左右方向の中間位置に設けられる、
請求項１または２に記載の加熱調理器。
【請求項４】
前記操作部は、下部支点周りの揺動によって開閉可能に機器本体に支持される、
請求項１ないし３のいずれかに記載の加熱調理器。
【発明の詳細な説明】
【技術分野】
【０００１】
本発明は、機器本体の前面に、操作パネルを備えた操作部を、操作パネルが操作可能に露出する開放位置と操作パネルが機器本体に収納される閉止位置とに亘って開閉可能に装備した加熱調理器に関する。
【背景技術】
【０００２】
加熱調理器としては、例えば、特許文献１に示されているように、機器本体の前面に、上端部に操作パネルを備えた操作部を、操作パネルが操作可能に露出する開放位置と操作パネルが機器本体に収納される閉止位置とに亘って開閉可能に装備したものがある。この加熱調理器では、操作部を開放位置側へ付勢するために、一端部が機器本体側のバネ受け部に支持され、他端部が操作部のバネ受け部に支持されるねじりバネを装備している。より詳しくは、操作部を、機器本体に揺動可能に枢支された可動ケースと、この可動ケースの前面に装着される蓋体とで構成し、操作部付勢用のバネとしてのねじりバネを、機器本体側のバネ受け部と、操作部側の可動ケースの一側端に設けたバネ受け部とに亘って組み付けるようにしている。
【先行技術文献】
【特許文献】
【０００３】
【特許文献１】特開２００４−２６３９０３号公報
【発明の概要】
【発明が解決しようとする課題】
【０００４】
上記従来構造では、蓋体を開いて可動ケースの前面を大きく空けてバネの組み付け作業を行うことができるのであるが、開閉揺動可能な状態の可動ケースに、バネの他端部を組み付けることになり、バネ組み付け操作に手間がかかるものであった。
【０００５】
また、バネの付勢力が、バネ受け部が設けられた可動ケースの一側端に偏って作用するので、左右に幅広い操作部の揺動にコジレが発生するおそれがあった。もちろん、可動ケースの左右にバネをそれぞれ作用させれば、コジレの問題は解消されるが、バネの組み付け手数や部品点数が増加する、等の新たな問題が生じることになる。
【０００６】
本発明は、このような実情に着目してなされたものであって、操作部を開放位置側へ付勢するバネを簡単かつ正しく組み付けることができる加熱調理器を提供することを主たる目的とする。
【課題を解決するための手段】
【０００７】
上記目的を達成するために、本発明では次のように構成している。
【０００８】
（１）本発明は、機器本体の前面に、操作パネルを備えた操作部を、前記操作パネルが操作可能に露出する開放位置と操作パネルが機器本体に収納される閉止位置とに亘って開閉可能に設けると共に、前記操作部を開放位置側へ付勢するバネを、その一端部が機器本体側の固定側バネ受け部に支持され、その他端部が操作部側の可動側バネ受け部に支持されるように設ける加熱調理器であって、
前記操作部は、上部に前記操作パネルを有すると共に、前面に開口部を有する可動ケースと、該可動ケースの前記開口部を塞ぐように装着される蓋体とを備え、
機器本体側に、前記固定側バネ受け部と、前記バネの前記他端部を仮係止するバネ仮係止部とを設け、
前記蓋体に、前記可動側バネ受け部と、前記バネの他端部の前記バネ仮係止部による仮係止を解除して、前記他端部を前記可動側バネ受け部へ移動させる解除部とを設けることを特徴とする。
【０００９】
本発明によると、操作部の組み付けに際しては、先ず、蓋体が装着されていない可動ケースを機器本体に装着し、次に、バネの一端部を機器本体側の固定側バネ受け部に係止するとともに、バネの他端部を変形させて機器本体側のバネ仮係止部に仮係止する。この際、可動ケースはバネ組み付けに直接に関与することがなく、機器本体側における固定部位間でのバネの仮装着となり、移動可能なバネ受け部へ組み付ける場合に比べて作業は簡単容易なものとなる。
【００１０】
このように、変形させたバネを機器本体側の固定側バネ受け部とバネ仮係止部とに亘って仮装着した状態で、蓋体を可動ケースの前面に組付ける際に、蓋体を可動ケースに前方から組付け接近させることで、バネ仮係止部に仮係止されているバネの他端部の仮係止が、蓋体の解除部によって解除され、バネの他端部は、蓋体の可動側バネ受け部に移動する。
【００１１】
これによって、一端部が機器本体側の固定側バネ受け部に受止め支持されているバネの他端部が、機器本体側の仮係止部から離脱して、可動ケースに装着された蓋体における可動側バネ受け部に受止め支持され、可動ケースと蓋体とが一体化された操作部が、バネによって正しく前方、すなわち、開放位置側へ付勢された状態がもたらされる。
【００１２】
(２)本発明の他の実施態様では、前記蓋体に、前記可動側バネ受け部と前記解除部とを有する突片が設けられ、前記解除部は、前記バネ仮係止部に仮係止された前記バネの他端部に当接して仮係止を解除する。
【００１３】
この実施態様によると、操作部の組み付けに際して、バネを機器本体側の固定側バネ受け部とバネ仮係止部とに亘って仮装着した状態で、蓋体を可動ケースに前方から組付け接近させることで、蓋体の突片の解除部が、バネ仮係止部に仮係止されているバネの他端部に当接してバネの他端部を押し動かして仮係止を解除し、バネの他端部は、蓋体の突片の可動側バネ受け部に導かれて受止め支持される。
【００１４】
（３）本発明の好ましい実施態様では、前記バネの前記他端部を受止め支持する前記可動側バネ受け部が、前記操作部の左右方向の中間位置に設けられる。
【００１５】
この実施態様によると、操作部を開放位置側へ付勢するバネを、機器本体側に一旦仮装着した後に、蓋体を取り付けることで、バネの他端部を、蓋体の左右中間位置の可動側バネ受け部に係止させて付勢することができ、単一のバネで操作部をコジリなく円滑に開閉させることができる。
【００１６】
（４）本発明の他の実施態様では、前記操作部は、下部支点周りの揺動によって開閉可能に機器本体に支持される。
【００１７】
この実施態様によると、上部の操作パネルよりも下部支点に近い位置でバネ付勢することで、上部の操作パネルを開閉させるための必要なストロークに比べて小さい変位量でバネを変形させることができ、ねじりバネなどの小型のバネをコンパクトに組込み利用することができる。
【発明の効果】
【００１８】
このように、本発明によれば、操作部を開放位置側へ付勢するバネを、蓋体の背部に簡単かつ正しく組み付けることができる。
【図面の簡単な説明】
【００１９】
【図１】本発明の一実施形態の加熱調理器の斜視図である。
【図２】操作部が開放された加熱調理器の斜視図である。
【図３】操作部が収納された状態にある要部の横断平面図である。
【図４】操作部が収納された状態にある要部の縦断側面図である。
【図５】バネを仮装着した要部の斜視図である。
【図６】バネの組付け手順を示す要部の平面図である。
【図７】バネの組付け手順を示す要部の平面図である。
【発明を実施するための形態】
【００２０】
以下、本発明の実施形態について図面を参照しながら詳細に説明する。
【００２１】
図１に、本発明に係る加熱調理器の一例であるビルトイン型のガスコンロが示されている。このガスコンロは、上面が天板２で覆われた機器本体１に、温度センサ３を備えた３つのコンロバーナ４、及び、グリルバーナ（図示せず）を内蔵したグリル庫５を備えて構成されている。このガスコンロは、図示されていないキッチンキャビネットの上面開口部に落とし込み装着され、機器本体１の前面がキッチンキャビネットの前部開口から臨むように配設される。
【００２２】
コンロ奥端の上面には、グリル庫５の燃焼排ガスを排気するためのグリル排気口６が形成されるとともに、天板２の上に各コンロバーナ４に対応してそれぞれ五徳７が載置支持されている。
【００２３】
機器本体１の前面には、グリル庫５を左右から挟んで前面パネル８が設けられ、各前面パネル８に、押し下げ操作の度に各バーナ４の点消火操作を行う点消火レバー９と、左右のスライド操作によって各バーナ４の火力を手動調節する火力調節レバー１０が備えられるとともに、グリル庫５の右側には各バーナ４での調理モードや調理時間などの設定を行う操作部１１が、また、グリル庫５の左側には電池収納部１２が、それぞれ備えられている。なお、機器本体１の前面における左右両端部にはサイドカバー１３が装着されている。
【００２４】
図２は、操作部１１を開放した状態の斜視図である。操作部１１は、上部に各種設定を行う操作パネル１４を有し、かつ、前面に開口部を有する可動ケース１５と、この可動ケース１５の開口部を塞ぐようにその前面に装着された蓋体１６とを備えている。
【００２５】
操作部１１は、操作パネル１４が操作可能に露出する図２に示される開放位置と、操作パネル１４を機器本体１に収納した図１に示される閉止位置とに亘って開閉自在に設けられている。
【００２６】
図３は、操作部１１が収納された状態の要部の横断平面図であり、図４は、その縦断側面図であり、また、図５は、後述のバネ２７を仮装着した要部の斜視図である。
【００２７】
操作部１１は、機器本体１における前面右側下方の開口に組付け固定された樹脂製の支持枠１７に、操作部１１が下部支点ｘを中心に前後揺動可能、すなわち、開閉可能に支持されている。
【００２８】
具体的には、支持枠１７における前端の左右には、一対の支点ボス１８が横向きに対向形成され、操作部１１を構成する可動ケース１５の前端左右に突設された支軸１９が、左右の支点ボス１８にそれぞれ嵌入支持されている。可動ケース１５は、図４に示すように、その上端内奥に備えたストッパ２０が、前面パネル８の下端に内側から当接するまで前方に揺動突出可能となっている。
【００２９】
可動ケース１５に連結固定される蓋体１６は、前面が化粧面に形成された樹脂製の平板である。この蓋対１６は、その下端左右に備えた略Ｃ形の係合部２１を、可動ケース１５の支軸１９における基端露出部位に前方から嵌合係止するとともに、蓋体内面の左右に突設した係止爪２２を、可動ケース１５の側面に形成した係止孔２３に係合させることで、蓋体１６が可動ケース１５に装着されるようになっている。
【００３０】
支持枠１７の内部には、支持ブラケット部２４が成形されており、この支持ブラケット部２４に組付けられたラッチ機構２５に、蓋体１６の内面から突設されたロックアーム２６の先端部が挿抜されるようになっている。ラッチ機構２５は、ロックアーム２６が内方に押し込み操作される度に、ロックアームのヘッド部を左右のロック爪２５ａ（図６参照）で係止して抜け出しを阻止するロック状態と、ロック爪２５ａの後退を許容するロック解除状態を順次繰り返す周知の構造のものが用いられている。
【００３１】
また、支持枠１７の内部における左右中間箇所には、操作部１１を開放位置側である前方に突出付勢するバネとしてねじりバネ２７が装備されている。このバネ２７は、図６に示すように、支持ブラケット部２４の側面に突設された取付け支軸２８に横向きに挿嵌支持され、バネ２７の固定端としての一端部２７ａが支持枠内部に設けられた固定側バネ受け部２９に受け止め係止される。また、蓋体１６の内面には、左右に幅広い突片３０が一体形成されるとともに、この突片３０の先端部には、内向きに開口したＶ形凹部状の可動側バネ受け部３１が設けられており、バネ２７の他端部２７ｂが、図３及び図４に示すように、可動側バネ受け部３１の奥底部位に受止め支持されている。
【００３２】
また、支持ブラケット部２４の側面には、バネ２７の組付けに使用するバネ仮係止部３２が突設されるとともに、このバネ仮係止部３２には内向きに開口する凹部３３が設けられている。
【００３３】
次に、図５、図６及び図７に基づいて、前記バネ２７の組付け手順について説明する。先ず、可動ケース１５に蓋体１６が装着されていない状態で可動ケース１５を、支持枠１７に組付けた後、バネ２７を取付け支軸２８に挿嵌し、バネ２７の一端部２７ａを、固定側バネ受け部２９に係止する。
【００３４】
次いで、図５及び図６に示すように、バネ２７の他端部２７ｂを、内方に大きくねじり変形させるとともに左方に撓ませ、バネ仮係止部３２の凹部３３に仮係止する。
【００３５】
このように、ねじり変形させたバネ２７を支持枠１７の固定側バネ受け部２９とバネ仮係止部３２とに亘って仮装着した状態で、蓋体１６を可動ケース１５の前面の開口部を覆うように組付ける。
【００３６】
ここで、可動側バネ受け部３１を備えた突片３０の先端が平坦に形成されており、左側の先端平坦部３０ａが、バネ仮係止部３２における凹部３３と上下に重複するように、先端平坦部３０ａの左右方向位置が設定されている。蓋体１６が可動ケース１５に前方から組付け接近されることで、バネ仮係止部３２に仮係止されているバネ２７の他端部２７ｂが、解除部である先端平坦部３０ａでケース内方に押し動かされて凹部３３から離脱する、すなわち、仮係止を解除する。
【００３７】
バネ２７の他端部２７ｂは、初期自由状態から左方向に撓み変形されてバネ仮係止部３２に仮係止されているので、バネ２７の他端部２７ｂが、突片３０の先端平坦部３０ａで押圧されて凹部３３から離脱すると、他端部２７ｂは、弾性復元力で先端平坦部３０ａに沿って右方に移動し、Ｖ形を形成する左側の斜面に案内されて可動側バネ受け部３１の奥底に導かれてゆく。
【００３８】
これによって、バネ２７の一端部２７ａが、支持枠１７の固定側バネ受け部２９に受止め支持されるとともに、バネ２７の他端部２７ｂが、可動ケース１５に装着された蓋体１６における可動側バネ受け部３１に、受止め支持され、可動ケース１５と蓋体１６とが一体化された操作部１１が、その左右中間位置においてバネ２７による前方への付勢力を受ける状態がもたらされる。
【００３９】
このようにして組み付けられた操作部１１は、開放状態から押し込んでラッチ機構２５でロックすることで、操作パネル１４が収納された閉止位置に保持することができ、この閉止位置の操作部１１を再度押し込み操作すると、ラッチ機構２５のロックが解除され、操作部１１はバネ２７の付勢力によって開放位置まで揺動し、大きく露出された操作パネル１４を操作できる状態となる。
【００４０】
以上のように本実施形態によれば、操作部１１を組み付ける際には、バネ２７の一端部２７ａを機器本体１側の固定側バネ受け部２９に係止するとともに、バネ２７の他端部２７ｂを変形させて機器本体１側のバネ仮係止部３２に仮係止する。このとき、移動可能な可動ケース１５には、バネ２７を直接組付ける必要がないので、移動可能なバネ受け部へ組み付ける場合に比べて作業は簡単容易なものとなる。
【００４１】
次に、蓋体１６を可動ケース１５の前面に組付ける際に、蓋体１６を可動ケース１５に前方から組付け接近させることで、バネ仮係止部３２に仮係止されているバネ２７の他端部２７ｂの仮係止が、蓋体１６の突片３０の先端平坦部３０ａに押圧されて解除され、バネ２７の他端部２７ｂは、その弾性復元力によって、突片３０の可動側バネ受け部３１に移動して受止め支持され、可動ケース１５と蓋体１６とが一体化された操作部１１が、バネ２７によって正しく前方へ付勢された状態となる。
【００４２】
[その他の実施形態]
本発明は、以下のような形態で実施することもできる。
【００４３】
（１）上記実施形態では、可動側バネ受け部３１を備えた突片３０の先端平坦部３０ａで、バネ仮係止部３２に仮係止されているバネ２７の他端部２７ｂを押圧して凹部３３から離脱させ、他端部２７ｂの横方向への弾性復元で可動側バネ受け部３１に移動させるようにしているが、可動側バネ受け部３１の仮係止側（この例では左側）の斜面を凹部３３に重複するまで延長し、この斜面の先端側でバネ２７の他端部２７ｂを斜めに押圧して凹部３３から離脱させて仮係止を解除し、可動側バネ受け部３１に導く形態で実施することもできる。
【００４４】
（２）本発明は、ビルトイン型のガスコンロのみならず、キャビネット上に載置するガスコンロやＩＨヒータを備えた加熱調理器に適用することもできる。
【符号の説明】
【００４５】
１              機器本体
１１            操作部
１４            操作パネル
１５            可動ケース
１６            蓋体
２７            バネ
２７ａ          一端部
２７ｂ          他端部
２９            固定側バネ受け部
３０            突片
３１            可動側バネ受け部
３２            バネ仮係止部
ｘ              下部支点
【図１】
2015132456.tif 000003
【図２】
2015132456.tif 000004
【図３】
2015132456.tif 000005
【図４】
2015132456.tif 000006
【図５】
2015132456.tif 000007
【図６】
2015132456.tif 000008
【図７】
2015132456.tif 000009